(57)【要約】      （修正有） 【課題】簡便な構成でありながら従来の一輪挿しより安定した載置状態が維持できると共に植物を良好に支持でき、一輪挿しとして単独使用も可能な一輪挿し用支持具を提供する。【解決手段】一輪挿し用支持具において、平坦な底面を有する基台２と、基台２に着脱可能に装着される支柱６とを備え、基台２は、少なくとも上面に開口する支持凹部３と、支柱６の下端部が差し込まれる差し込み穴５とを有し、支柱６は、下端部が差し込み穴５に差し込まれた状態で基台２上に起立する本体部７と、本体部７に一体に設けられた輪状部８とを備え、輪状部８には切欠き部９が設けられている。【選択図】図１
0003145203.tif 000002
【実用新案登録請求の範囲】
【請求項１】
平坦な底面を有する基台と、基台に着脱可能に装着される支柱とを備えた一輪挿し用支持具であって、
前記基台は、少なくとも上面に開口する支持凹部と、前記支柱の下端部が差し込まれる差し込み穴とを有し、
前記支柱は、下端部が前記差し込み穴に差し込まれた状態で基台上に起立する本体部と、該本体部に一体に設けられた輪状部とを備え、該輪状部には切欠き部が設けられていることを特徴とする一輪挿し用支持具。
【請求項２】
前記基台の凹部は、円錐状あるいは角錐状の底部を有することを特徴とする請求項１に記載の一輪挿し用支持具。
【請求項３】
前記基台は、最大高さが水平方向に沿った最大横幅より小さいことを特徴とする請求項１又は２に記載の一輪挿し用支持具。
【請求項４】
前記基台は、比重が１より大きい部材から成ることを特徴とする請求項１〜３のいずれか１項に記載の一輪挿し用支持台。
【請求項５】
前記支柱は、一本の針金から成ることを特徴とする請求項１〜４のいずれか１項に記載の一輪挿し用支持具。
【考案の詳細な説明】
【技術分野】
【０００１】
本考案は、一輪挿しとして単独でも使用可能な支持具に関するものである。
【背景技術】
【０００２】
従来から、一輪〜少数本という少ない花、草木等の植物を生ける花瓶として一輪挿しが用いられている。またこの一輪挿しは専用空間が小さくて済むため、現在の住宅事情において省スペースで生花を楽しめる形態として有効である。これは、小型化傾向にある仏壇用の花立てについても同様である。
【０００３】
しかしこのような省スペースを目的とした一輪挿しは、底面が小さいく縦に長細いため、不安定な載置状態にあり、軽度の地震や花瓶の載置台等にぶつかった際など、日常で頻繁に生じるような揺れでも容易に転倒してしまう危険性が高いものであった。
【０００４】
そこで、底面積を拡げることなく転倒を防止できる手段を備えたものも考えられている。例えば、特許文献１に開示されているように、載置面に磁性体の板を貼り合わせ、花立ての下端部にその中心部を中心に均等に磁性体に吸引されるように磁石を装備したものがある。
【０００５】
【特許文献１】実用新案登録第３０３８４８３号公報
【考案の開示】
【考案が解決しようとする課題】
【０００６】
しかしながら、上記のような磁石を利用した手段では、常に載置場所に磁性体を設けなければならず、また、花瓶側に磁石を装着するなど、製造や設置に手間の掛かる煩雑なものであり、家庭での実用に適するものではなかった。
【０００７】
本考案の目的は、上記問題点に鑑み、底面積の拡大することも特別な転倒防止用の手段を設けることもなく、簡便な構成でありながら従来の一輪挿しより安定した載置状態が維持できると共に生ける植物を良好に支持できる、一輪挿しとして単独使用も可能な一輪挿し用支持具を提供することにある。
【課題を解決するための手段】
【０００８】
上記目的を達成するため、請求項１に記載の考案に係る一輪挿し用支持具は、平坦な底面を有する基台と、基台に着脱可能に装着される支柱とを備えた一輪挿し用支持具であって、前記基台は、少なくとも上面に開口する支持凹部と、前記支柱の下端部が差し込まれる差し込み穴とを有し、前記支柱は、下端部が前記差し込み穴に差し込まれた状態で基台上に起立する本体部と、該本体部に一体に設けられた輪状部とを備え、該輪状部には切欠き部が設けられているものである。
【０００９】
請求項２に記載の考案に係る一輪挿し用支持具は、請求項１に記載の一輪挿し用支持具において、前記基台の凹部は、円錐状あるいは角錐状の底部を有するものである。
【００１０】
請求項３に記載の考案に係る一輪挿し用支持具は、請求項１又は２に記載の一輪挿し用支持具において、前記基台は、最大高さが水平方向に沿った最大横幅より小さいことを特徴とするものである。
【００１１】
請求項４に記載の考案に係る一輪挿し用支持具は、請求項１〜３のいずれか１項に記載の一輪挿し用支持具において、前記支柱は、一本の針金から成ることを特徴とするものである。
【考案の効果】
【００１２】
本考案の一輪挿し用支持具においては、平坦な底面を有する基台に少なくとも上面に開口する支持凹部と該基台に着脱可能に装着される支柱の下端部が差し込まれる差し込み穴が形成され、支柱には下端部が前記差し込み穴に差し込まれた状態で基台上に起立する本体部と該本体部に一体に設けられて切欠き部を有する輪状部とが備えられたものであるため、支柱が基台に装着された起立状態にて、前記支持凹部に草花等の茎や枝の下端を挿入し、その上方を切欠き部から輪状部の内側に入れることによって、該植物は下端部と上方部との二箇所で支持凹部と輪状部との間の本体部に沿って立った状態で安定に支持できる。しかも基台は中空でなく、載置面に近い位置に重心を持たせることができるため、底面積の拡大することも特別な転倒防止用の手段を設けることもなく、簡便な構成でありながら、植物支持状態でも軽い揺れでは転倒しない安定した載置状態を実現するできるという効果がある。さらにこのような安定生に優れた本考案の一輪挿し用支持具は、一輪挿しとして単独で使用できるのはもちろん、水に沈む素材で基台を形成しておけば水中載置で用いることができるため、基台が入る容積を持つものであれば様々な容器を花瓶として利用できる。
【考案を実施するための最良の形態】
【００１３】
本考案による一輪挿し用支持具は、平坦な底面を有する基台と、基台に着脱可能に装着される支柱とを備え、基台には少なくとも上面に開口する支持凹部と、支柱の下端部が差し込まれる差し込み穴とが設けられ、支柱には、下端部が前記差し込み穴に差し込まれた状態で基台上に起立する本体部と、該本体部に一体に設けられ、切欠き部を有する輪状部とを備えたものである。
【００１４】
従って、このような一輪挿し用支持具においては、支柱の下端部が差し込み穴に差し込まれた起立状態にて、基台の支持凹部に草花等の茎や枝の下端を挿入し、その上方を切欠き部から輪状部の内側に入れることによって、該植物は、支持凹部内の下端部と輪状部内の上方部との二箇所で、両者の間の本体部に沿って立った状態で安定に支持される。
【００１５】
この一輪挿し用支持具においては、基台は通常の花瓶のような中空ではなく充実状態の部材に支持凹部及び差し込み穴が形成されてなるものであるため、基台の載置面に近い位置に重心を持たせることができ、植物支持状態でも軽い揺れでは転倒しない安定した載置状態を実現することができる。
【００１６】
なお、支持凹部は、基台の上面及び下面の両側に開口する貫通孔から構成されるものとしても、また基台の上面のみに開口する底部を有するものとしてもいずれも可能である。支持凹部が貫通孔である場合、植物の茎又は枝の下端部をこの貫通孔内で基台の高さ相当の長い領域に亘ってより確実に支持できる。
【００１７】
一方、底部を有する凹部では、中に水を溜められるため、短時間であれば、本支持具単独で一輪挿しとして充分機能する。この場合、凹部の底部を円錐状あるいは角錐状とすることによって、植物の茎又は枝の下端部が細いものであっても、平坦な底部とする場合よりもより安定に支持できる。
【００１８】
また、支持凹部が貫通孔であって水が溜められない構成であっても、茎又は枝の下端部に水を含ませた布や紙を巻き付かせて防水フィルムでラップしたり、保水部材を介在させるなど、植物側に水供給手段を付与すれば、充分一輪挿しとして単独使用できる。この際、必要な専用空間は基台の載置に必要な面積だけであり、特別な転倒防止手段を設けることなる省スペースでの安定した生花を実現できる。
【００１９】
以上の構成において、転倒し難いより安定した載置状態を得るため、基台はできるだけ比重の大きい部材から製造することが好ましい。例えば、真鍮やステンレス等の各種金属や鉱物、ガラス等が挙げられる。また、中空でない陶器、磁器等の焼き物や、密度の大きい木製でも可能である。
【００２０】
基台の外形状は、平坦な底面を有する重心の低い概略柱状のものであれば安定した載置状態が得られる。例えば、円柱状、角柱状などのシンプルな形状であれば加工製造し易く、容易に重心の低い安定したものが得られるが、焼き物や鉱物、木製など、素材によってはデザイン性を重視したり自然の形を生かしたものにするなど、複雑な輪郭を備えたものもでも良い。いずれの場合も、基台の最大高さが水平方向に沿った最大横幅より小さい設計とすることで、転倒し難い安定性の高い基台が得られる。
【００２１】
また、本考案による一輪挿し用支持具は、上記のように単独で一輪挿しとしての使用も可能であるが、草花の支持具として、水を張った各種花器や水鉢の内に基台を載置しての使用も可能である。この場合、一つの器に一つの支持具を載置するのに限らず、複数個を配置して用いることができる。また、基台が入る容積を持つものであれば、様々な容器を花瓶として利用することができる。なお、このような水中載置で使用する基台は比重が１より大きい、即ち水に沈む部材から成るものとする。
【００２２】
また、支柱は、軽量で単純な設計のものが扱いやすくて好ましい。例えばステンレス等の金属製の一本の針金から構成したものが簡便である。例えば、本体部を下端部が差し込み穴に差し込まれる線状のものとし、その上部に針金を屈曲させるだけで本体部と連続した輪状部を容易に形成することができる。針金の上端部は屈曲開始部との間に空隙を持った位置とすれば輪状部が閉じることなく該空隙が切欠き部となる。
【００２３】
支柱は、基台に対して挿脱可能に装着されるものであるため、本体部の長さや輪状部の径が異なるものを各種用意して交換可能としておけば、生ける草花の長さや茎又は枝の太さに応じてその都度最適なものを選択して用いることができる。また、差し込み穴が共通の寸法であれば、基台を変更しても同じ支柱を用いることができる。
【実施例】
【００２４】
本考案の一実施例として、真鍮製の基台とステンレス製の支柱を備えた場合の一輪挿し用支持具を図１〜３に示す。図１は本一輪挿し用支持具の部材構成を示す説明図であり、（ａ）は支柱装着前の状態を示す斜視図、（ｂ）は支柱装着後の状態を示す斜視図、（ｃ）は基台を上面側から見た平面図、（ｄ）は（ｃ）のＡ−Ａ断面図である。また、図２は、本一輪挿し用支持具を単独で一輪挿しとして使用する状態を示す全体斜視図であり、図３は、本一輪挿し用支持具を花器内で花を支持するのに使用する状態を示す全体斜視図である。
【００２５】
図１に示すように、本実施例による一輪挿し用支持具１は、四角柱状の基台２と、該基台２に着脱可能に装着される針金から成る支柱６とから主に構成されるものである。基台２には、上面のほぼ中央部に開口する円筒状の支持凹部３と、支柱６の下端部が差し込まれる差し込み穴５とが形成されている。
【００２６】
支持凹部３は、断面図に示すように略円錐状又は角錐状の底部４を有するものとした。一方、支柱６は、線状の本体部７とその上部で屈曲して設けられた輪状部８とが一本の針金から一体に形成されて成るものである。この支柱６は本体部７の下端部が差し込み穴５に差し込まれることによって基台２上に起立する。また、輪状部８には、切欠き部９が設けられており、この切欠き部９により、生ける花や草木の茎や枝を輪状部８内に出入りさせることができる。
【００２７】
以上のように支柱６を起立状態に装着した一輪挿し用支持具１においては、花１０の茎の下端を基台２の支持凹部３の底部４まで挿入し、その上方の茎部分を切欠き部９から輪状部８の内側に入れることによって、花１０は、底部４内の下端部と輪状部８内の上方部との二箇所で、茎が支持凹部３と輪状部８と間の線状本体部７に沿って立った状態で安定に支持される。
【００２８】
この一輪挿し用支持具１では、基台２は中空ではなく充実状態の真鍮製であり、しかも、高さが水平方向の横幅よりも小さいため、花を支持した状態においても全体の重心を基台２の載置面よりの低い位置にできるため、軽い揺れでは転倒しない安定した載置状態が確保できる。
【００２９】
また、支持凹部３内に水を溜めたり、花の茎下端に水を含ませた布や紙等を巻いて防水フィルムで覆う等の吸水手段を施せば、短時間であればこの一輪挿し用支持具１を単独で一輪挿しとして用いることができる。この場合、必要な占有面積は、基台２の底面積程度であるため、狭い室内空間や小型の仏壇回りで有効に使用できる。
【００３０】
さらに、上記のような比重の大きい真鍮製の基台２を備えた本実施例の一輪挿し用支持具１は、図３に示すように、水を張った花器１１内の水中設置状態においても支持具として安定して花を支持できる。この場合、花器１１は好みのものを使用できるが、基台２が中に載置できる程度のもので充分である。言い換えれば、基台２が入り容積を持つ容器であれば、コップや灰皿、お皿など、本来花器として用いることのない様々な容器を花瓶とすることができる。
【００３１】
また、図４に示すように、大きめの水鉢１２に複数個の一輪挿し用支持具１を載置して用いることもできる。この場合、各基台２をそれぞれ所定の均一な間隔で配置したり、互いに異なる間隔で配置するなど、剣山を用いる場合とは全く異なる趣で花や草木を生けることができる。
【００３２】
なお、以上の実施例においては、基台に関しては四角柱状のものとした場合を示したが、本校案はこれに限定されるものではない。例えば、図５に示すような円柱状の基台２０や多角柱状のものなど、各種採用可能であるが、できるだけ転倒する方向に転がり難い輪郭形状を選択する。水平方向に沿った最大横幅より高さが低い柱形状のものは、輪郭がシンプルで素材が金属であっても加工成形し易いと共に転がりにくい安定した形状であって好ましい。
【００３３】
また、このような簡素な輪郭形状に限らず、安定性の高いものであれば、素材の特徴を生かした複雑な輪郭形状としても良い。例えば、図５に示すように、鉱石からなる基台３０では、鉱石自身が持っていた自然な形を取り入れても良い。この場合、接地面となる平坦な底面と支持凹部３１と差し込み穴３３の形成加工以外は自然のままの風合いを残すことができる。
【００３４】
さらに、支柱についても、上記実施例に示した線状の針金から成形されたものに限らず、本体部の下端部を差し込み穴に差し込むことによって基台上に起立でき、花や草木の茎や枝を入れることのできる切欠き部を有する輪状部を一体に形成できるものであれば、様々な形態が可能であるが、支柱自体は本支持具の重心を上方寄りにすることのないようにができるだけ簡単な設計で軽量に構成できるものが望まれる。
【図面の簡単な説明】
【００３５】
【図１】本考案の一実施玲による一輪挿し用支持具の部材構成を示す説明図であり、（ａ）は支柱装着前の状態を示す斜視図、（ｂ）は支柱装着後の状態を示す斜視図、（ｃ）は基台を上面側から見た平面図、（ｄ）は（ｃ）のＡ−Ａ断面図である。
【図２】図１の一輪挿し用支持具を単独で一輪挿しとして使用している状態を示す全体斜視図である。
【図３】本一輪挿し用支持具を花器内で花を支持するのに使用している状態を示す全体斜視図である。
【図４】本一輪挿し用支持具を複数個、同一水鉢内の水中載置で使用している状態示す全体斜視図である。
【図５】図１の一輪挿し用支持具とは異なる円柱状の基台を例示する模式図であり、（ａ）は本基台を上面側から見た平面図、（ｂ）は（ａ）のＢ−Ｂ断面図である。
【図６】図１とは素材の異なる鉱石からなる基台を例示する斜視図である。
【符号の説明】
【００３６】
１：一輪挿し用支持具
２，２０，３０：基台
３，２１，３１：支持凹部
４，２２：円錐状（又は角錐状）底部
５，２３，３３：差し込み穴
６：支柱
７：本体部
８：輪状部
９：切欠き部
１０：花
１１：花器
１２：水鉢
【図１】
0003145203.tif 000003
【図２】
0003145203.tif 000004
【図３】
0003145203.tif 000005
【図４】
0003145203.tif 000006
【図５】
0003145203.tif 000007
【図６】
0003145203.tif 000008